(57)【要約】【課題】  従来の撮影装置では、タイミングが微妙な撮影時に適切なタイミングでシャッターボタンを押して、撮影者にとってベストショットの画像を得る技術を取得することが困難である。【解決手段】  画像生成手段によって生成された床にバウンドするボールの画像は、表示制御手段により、その画像が生成された時刻とレリーズボタン２が操作された操作時刻との時間差−0.064秒と共に、モニタ３に表示される。このため、撮影者は、画像が生成された時刻とレリーズボタン２の操作時刻との時間差−0.064秒を撮影画像と共に見ることにより、実際にレリーズボタン２を操作した時刻からどれだけの時間だけ早くまたは遅くレリーズボタン２を操作して撮影すれば、撮影者にとって所望の画像を得られたかを、学習することができる。【選択図】  図３
2011078003.tif 000002
【特許請求の範囲】
【請求項１】
被写体を撮像する撮像手段と、
操作されると前記撮像手段に１枚の画像を撮像させる指示手段と、
前記指示手段が操作された操作時刻前後の所定時間の間、前記撮像手段に一定時間毎に連続的に撮像を行わせて、一定時間毎に断続する複数枚の画像を生成する画像生成手段と、
前記画像生成手段により生成された各画像を各画像が生成された時刻と共に記録する記録手段と、
前記記録手段によって記録された画像を、その画像が生成された時刻と前記操作時刻との時間差と共に表示手段に表示させる表示制御手段と
を備える撮影装置。
【請求項２】
請求項１に記載の撮影装置において、
前記表示制御手段は、前記操作時刻における前記指示手段の操作に応じて生成された画像を含む複数の画像を各画像の前記時間差と共に前記表示手段に表示させる
ことを特徴とする撮影装置。
【請求項３】
請求項２に記載の撮影装置において、
前記表示制御手段は、前記記録手段によって記録された一定時間毎に断続する一連の各画像を各画像の前記時間差と共に前記表示手段に一覧表示させる
ことを特徴とする撮影装置。
【発明の詳細な説明】
【技術分野】
【０００１】
本発明は、一定時間毎に断続する複数枚の画像を生成する撮影装置に関する。
【背景技術】
【０００２】
従来、この種の撮影装置としては、例えば、特許文献１に開示されたデジタルカメラがある。このデジタルカメラでは、シャッター操作タイミングで得られたフレーム画像がメインフレームとして決定され、シャッター操作タイミングの前後に得られた所定コマ数分のフレーム画像がサブフレームのフレーム画像として決定される。これらメインフレームおよびサブフレームの各フレーム画像は、レイアウト情報に従って配置され、印刷可能な１枚の静止画が作成される。
【０００３】
また、特許文献２に開示されたデジタルカメラは、プリキャプチャ機能を有しており、レリーズボタンの１段階目の押圧がなされている間、画像の撮影を繰り返し実行する。そして、レリーズボタンの２段階目の押圧がなされた時点で、その時バッファメモリに蓄えられている画像と、レリーズボタンの２段階目の押圧がなされた時点で撮影された画像とを記録する。
【先行技術文献】
【特許文献】
【０００４】
【特許文献１】特開２００７−３１８７７３号公報
【特許文献２】特開２００６−２７０８６８号公報
【発明の概要】
【発明が解決しようとする課題】
【０００５】
しかしながら、特許文献１、２に開示された従来の撮影装置では、シャッター操作タイミングおよびその前後の複数の画像を取得することができるが、タイミングが微妙な撮影時に適切なタイミングでシャッターボタンを押して、撮影者にとってベストショットの画像を得る技術を取得することが困難である。撮影者にとってベストショットの画像を得る技術を取得するためには、たくさんの撮影を行って撮影者のシャッター操作タイミングのくせをつかみ、ベストショットの画像を得るシャッター操作タイミングのコツをつかまなければならない。このため、従来の撮影装置では、撮影者にとってベストショットの画像を得る技術を取得するのに、時間がかかる。
【課題を解決するための手段】
【０００６】
本発明はこのような課題を解決するためになされたもので、
被写体を撮像する撮像手段（１５）と、
操作されると撮像手段（１５）に１枚の画像を撮像させる指示手段（２）と、
指示手段（２）が操作された操作時刻前後の所定時間の間、撮像手段（１５）に一定時間毎に連続的に撮像を行わせて、一定時間毎に断続する複数枚の画像を生成する画像生成手段（１１,１７）と、
画像生成手段（１１,１７）により生成された各画像を各画像が生成された時刻と共に記録する記録手段（１１）と、
記録手段（１１）によって記録された画像を、その画像が生成された時刻と操作時刻との時間差と共に表示手段（３）に表示させる表示制御手段（１１）と
を備えて、撮影装置（１）を構成した。
【０００７】
本構成によれば、画像生成手段（１１,１７）によって生成された画像は、表示制御手段（１１）により、その画像が生成された時刻と指示手段（２）が操作された操作時刻との時間差と共に、表示手段（３）に表示される。このため、撮影者は、画像が生成された時刻と指示手段（２）の操作時刻との時間差を撮影画像と共に見ることにより、実際に指示手段（２）を操作した時刻からどれだけの時間だけ早くまたは遅く指示手段（２）を操作して撮影すれば、撮影者にとって所望の画像を得られたかを、学習することができる。この結果、従来の撮像装置を用いて撮影を行った場合に比べて、適切なタイミングで所望の画像を撮影する技術習得の時間が短縮され、撮影者の撮影技術が向上する撮影装置（１）が提供される。
【０００８】
また、本発明は、表示制御手段（１１）が、操作時刻における指示手段（２）の操作に応じて生成された画像を含む複数の画像を各画像の時間差と共に表示手段（３）に表示させることを特徴とする。
【０００９】
本構成によれば、指示手段（２）の操作時刻における操作に応じて生成された画像を含む複数の画像が、表示制御手段（１１）により、各画像の時間差と共に表示手段（３）に表示される。このため、撮影者は、表示手段（３）に時間差と共に表示される撮影画像を、指示手段（２）の操作時刻における操作に応じて生成された画像と比較して確認することができ、指示手段（２）の操作時刻のずれを、時間差情報から観念的に捉えるだけではなく、画像情報から視覚的にも捉えることができるため、適切なタイミングで所望の画像を撮影する撮影技術をより取得しやすくなる。
【００１０】
また、本発明は、表示制御手段（１１）が、記録手段（１１）によって記録された一定時間毎に断続する一連の各画像を各画像の時間差と共に表示手段（３）に一覧表示させることを特徴とする。
【００１１】
本構成によれば、画像生成手段（１１,１７）によって生成された一定時間毎に断続する一連の各画像は、表示制御手段（１１）により、各画像の時間差と共に表示手段（３）に一覧表示される。このため、撮影者は、一覧表示された一定時間毎に断続する各画像をそれらの時間差と共に確認して比較することにより、より詳細に指示手段（２）の操作時刻のずれを捉えることができ、適切なタイミングで所望の画像を撮影する撮影技術をさらに取得しやすくすることができる。
【発明の効果】
【００１２】
本発明による撮影装置によれば、上記のように、従来の撮像装置を用いて撮影を行った場合に比べて、適切なタイミングで所望の画像を撮影する技術習得の時間が短縮され、撮影者の撮影技術が向上する撮影装置が提供される。
【図面の簡単な説明】
【００１３】
【図１】本発明の一実施の形態によるデジタルカメラの背面図である。
【図２】図１に示すデジタルカメラの電気回路構成の概略を示すブロック図である。
【図３】図１に示すデジタルカメラのプリキャプチャ機能で生成された一連の画像のうちの１枚をモニタに表示した画面を示す図である。
【図４】図１に示すデジタルカメラのプリキャプチャ機能で生成された一連の画像のうちのレリーズタイミングを含む複数の画像をモニタに表示した画面を示す図である。
【図５】図１に示すデジタルカメラのプリキャプチャ機能で生成された一連の画像のうちのレリーズボタンを押した時刻より前に生成された複数の画像をモニタに表示した画面を示す図である。
【図６】図１に示すデジタルカメラのプリキャプチャ機能で生成された一連のサムネイル画像をモニタに一覧表示した画面を示す図である。
【発明を実施するための形態】
【００１４】
次に、本発明による撮影装置をデジタルカメラに適用した一実施の形態について説明する。
【００１５】
図１は、この一実施の形態によるデジタルカメラ１の背面図である。
【００１６】
撮影装置を構成するデジタルカメラ１の筐体１ａの上部には、被写体を撮影する際に操作されるレリーズボタン２が設けられている。また、筐体１ａの背面にはモニタ３が設けられている。モニタ３は、ＴＦＴ（Thin Film Transistor）液晶からなり、撮影画像や再生画像、設定項目を一覧表示するメニュー画面などを表示する表示手段を構成する。モニタ３の右側には、ズームボタン４、および十字ボタン５が配置されている。ズームボタン４は、モニタ３に表示される撮影画像を拡大、縮小表示させる際などに操作される。十字ボタン５は、上下方向および左右方向といった操作方向を検出する方向キーからなり、デジタルカメラ１の各種設定を行うメニュー画面において、種々の設定項目の中から所望の設定項目を選択する際などに操作される。十字ボタン５の内側には決定ボタン６が設けられている。決定ボタン６は、十字ボタン５の操作によって選択された所望の設定項目を決定する際などに操作される。
【００１７】
図２は、図１に示すデジタルカメラ１の電気回路構成の概略を示すブロック図である。  デジタルカメラ１は、ＣＰＵ（Central Processing Unit）１１、ＥＥＰＲＯＭ（Electrically Erasable Programmable Ｒead Ｏnly Ｍemory）などで構成される不揮発性メモリ１２、およびＲＡＭ（Random Access Memory）などで構成されるバッファメモリ１３を備えている。不揮発性メモリ１２には、ＣＰＵ１１が種々の制御を行う際に参照される制御プログラムなどが格納されている。ＣＰＵ１１は、不揮発性メモリ１２に格納されている制御プログラムに従い、バッファメモリ１３を一時記憶作業領域として回路各部の制御を行い、デジタルカメラ１の種々の装置機能を作動させる。
【００１８】
被写体からの光は、光学系を構成するレンズ１４を介してデジタルカメラ１内に取り込まれる。デジタルカメラ１内に取り込まれた被写体光は、撮像部１５の撮像面１５ａ上に被写体像を投影する。撮像部１５は、ＣＣＤ（Charge Coupled Device）やＣＭＯＳ（Complementary Metal Oxide Semiconductor）などからなり、撮像部１５の撮像面１５ａ上に結像した被写体像は、アナログの撮像信号に変換される。撮像部１５は、被写体を撮像する撮像手段を構成する。変換された撮像信号は、Ａ／Ｄ変換部１６においてデジタル信号に変換される。画像処理部１７は、Ａ／Ｄ変換部１６でデジタル信号に変換された撮像信号をバス１８を介して取得し、取得した撮像信号に対して、ホワイトバランス処理やガンマ補正などの画像処理を行い、撮影された画像の画像データを生成する。画像処理部１７によって生成された画像データは、ＣＰＵ１１により、圧縮処理が施されてバッファメモリ１３に一時格納されると共に、Ｉ／Ｆ部１９を介して、図示しないスロットに着脱されるメモリカード２０に記録される。
【００１９】
ＣＰＵ１１には、図１に示す、上述したレリーズボタン２、ズームボタン４、十字ボタン５および決定ボタン６などが操作部７として接続されている。レリーズボタン２は、半押しされるとオートフォーカス機能を作動させてレンズ１４を移動させ、全押しされると予め設定されたシャッター速度で図示しないシャッターを開かせ、被写体像を撮像部１５の撮像面１５ａに所定時間露光させて被写体の撮影を行わせる。レリーズボタン２は、操作されると撮像手段に１枚の画像を撮像させる指示手段を構成する。
【００２０】
また、本実施形態によるデジタルカメラ１は、ＣＰＵ１１の制御によって次のプリキャプチャ機能が作動する。つまり、撮影者によってレリーズボタン２が半押しされると、ＣＰＵ１１は、オートフォーカス機能を作動させるのと同時にプリキャプチャ機能を作動させ、一定時間毎、例えば、0.016秒毎に断続的に被写体像を撮像部１５に撮像させて、撮影を行う。なお、この時間はメニュー画面などで自由に設定することが可能である。この撮影はレリーズボタン２が半押しされている間継続して行われ、撮影された静止画像データは、画像処理部１７で画像処理が行われてバッファメモリ１３に逐次記録されていく。ＣＰＵ１１は、この画像データの記録と同時に、各画像データが生成された時刻もバッファメモリ１３に記録させる。バッファメモリ１３の記録内容は、所定時間毎、例えば、バッファメモリ１３に一時記憶させておける最大時間の0.064秒間毎に更新され、現時点から遡って例えば0.064秒より前の記録データは破棄され、新しい記録データに順次更新されていく。その後、撮影者によってレリーズボタン２が全押しされると、全押しされた時刻にバッファメモリ１３に記録されている例えば0.064秒間のデータはメモリカード２０に移され、全押しされた時刻から引き続いて所定時間、例えば0.064秒間経過するまで、一定時間毎に断続的に撮影が行われて、撮影された画像データおよびその生成時刻データが例えば0.064秒間分バッファメモリ１３に記録されて、撮影が停止する。従って、例えば、所定時間が0.064秒間である場合には、全押し時刻前後の合計例えば0.128（＝0.064×2）秒間分の画像データが、バッファメモリ１３およびメモリカード２０に記録される。
【００２１】
ＣＰＵ１１および画像処理部１７は、レリーズボタン２が操作された操作時刻前後の所定時間例えば0.064秒間の間、撮像部１５に一定時間毎例えば0.016秒毎に連続的に撮像を行わせて、一定時間毎に断続する複数枚の画像を生成する画像生成手段を構成する。また、ＣＰＵ１１は、画像生成手段により生成された各画像を各画像が生成された時刻と共にバッファメモリ１３およびメモリカード２０に記録する記録手段を構成すると共に、記録手段によって記録された画像を、その画像が生成された時刻と操作時刻との時間差と共にモニタ３に表示させる表示制御手段を構成する。
【００２２】
図３は、上記のプリキャプチャ機能で生成されて記録された一連の画像のうちの１枚が、表示制御手段によってモニタ３に表示された画面を示す図である。
【００２３】
モニタ３には、プリキャプチャ機能で0.016秒毎に断続的に撮影された、被写体であるボールが床にバウンドする一連の画像のうち、バッファメモリ１３に最も古く記録された１枚の静止画像が、その画像が生成された時刻とレリーズボタン２が押された時刻との時間差−0.064秒と共に、表示されている。
【００２４】
このような本実施形態によるデジタルカメラ１によれば、画像生成手段によって生成された画像は、上記のように、表示制御手段により、その画像が生成された時刻とレリーズボタン２が操作された操作時刻との時間差−0.064秒と共に、図３に示すようにモニタ３に表示される。このため、撮影者は、画像が生成された時刻とレリーズボタン２の操作時刻との時間差−0.064秒を、床からボールが浮いた撮影画像と共に見ることにより、実際にレリーズボタン２を操作した時刻からどれだけの時間だけ早くまたは遅くレリーズボタン２を操作して撮影すれば、撮影者にとって所望の画像を得られたかを、学習することができる。例えば、図３に示す例では、時間差が−0.064秒と表示されているため、撮影者は、この時間差から、レリーズタイミングよりも0.064秒早い時刻では、ボールが床から浮いていたこと知ることができ、例えば、ボールが床に衝突した時点でレリーズボタン２を操作するためには、もう少し遅いタイミングでレリーズボタン２を操作する必要があることを、学習することができる。この結果、本実施形態によれば、従来のデジタルカメラを用いて撮影を行った場合に比べて、適切なタイミングで所望の画像を撮影する技術習得の時間が短縮され、撮影者の撮影技術が向上するデジタルカメラ１が提供される。
【００２５】
なお、上述した実施形態では、プリキャプチャ機能により生成されて記録された一連の画像のうちの１枚の画像だけをモニタ３に表示させていたが、レリーズボタン２が押された時に生成された画像を含む複数の画像を、モニタ３に表示させる構成としてもよい。この場合、ＣＰＵ１１は、レリーズボタン２の操作時刻における操作に応じて生成された画像を含む複数の画像を、各画像の時間差と共にモニタ３に表示させる表示制御手段を構成する。
【００２６】
図４は、この構成において、プリキャプチャ機能により生成されて記録された一連の画像のうちのレリーズタイミングを含む２枚の画像を複数の画像として、モニタ３に表示した画面を示す図である。
【００２７】
モニタ３には、断続的に撮影された一連の画像のうち、レリーズボタン２が押された時刻より0.064秒前に撮影された画像、およびレリーズボタン２が押されたときに撮影された画像が、各画像が生成された時刻とレリーズボタン２が押された時刻との時間差−0.064秒および±0秒と共に表示されている。
【００２８】
図５は、上記の構成において、プリキャプチャ機能により生成されて記録された一連の画像のうち、レリーズボタン２が押された時刻、およびそれより前に生成された一連の画像を複数の画像として、モニタ３に表示した画面を示す図である。
【００２９】
モニタ３には、断続的に撮影された一連の画像のうち、レリーズボタン２が押された時刻より前に0.016秒毎に撮影された全ての画像、およびレリーズボタン２が押されたときに生成された画像が、各画像が生成された時刻とレリーズボタン２が押された時刻との時間差−0.064秒、−0.048秒、−0.032秒、−0.016秒、および±0秒と共に、表示されている。
【００３０】
このような構成によるデジタルカメラ１によれば、レリーズボタン２の操作時刻±0秒における操作に応じて生成された画像を含む、図４および図５に示すような複数の画像が、表示制御手段により、各画像の時間差と共にモニタ３に表示される。このため、撮影者は、モニタ３に時間差と共に表示される撮影画像を、レリーズボタン２の操作時刻±0秒における操作に応じて生成された画像と比較して確認することができ、レリーズボタン２の操作時刻のずれを、時間差情報から観念的に捉えるだけではなく、ボールの床からの高さが異なる画像情報から視覚的にも捉えることができるため、適切なタイミングで所望の画像を撮影する撮影技術をより取得しやすくなる。
【００３１】
また、プリキャプチャ機能により生成されて記録された一連の各画像を、各画像の時間差と共にモニタ３に表示させる構成としてもよい。この場合、ＣＰＵ１１は、記録手段によってバッファメモリ１３およびメモリカード２０に記録された一定時間毎に断続する一連の各画像を、各画像の時間差と共にモニタ３に一覧表示させる表示制御手段を構成する。
【００３２】
図６は、この構成により得られた一連のサムネイル画像をモニタ３に一覧表示した画面を示す図である。
【００３３】
モニタ３には、0.016秒毎に断続的に撮影された、被写体であるボールがバウンドする一連の全ての画像が表示されている。また、各画像の下には、各画像が生成された時刻とレリーズボタン２が押された時刻との時間差が表示されている。
【００３４】
このような構成によるデジタルカメラ１によれば、画像生成手段によって生成された0.016秒毎に断続する一連の各画像は、表示制御手段により、上記のように各画像の時間差と共にモニタ３に一覧表示される。このため、撮影者は、一覧表示された一定時間毎に断続する各画像をそれらの時間差と共に確認して比較することにより、より詳細にレリーズボタン２の操作時刻のずれを捉えることができ、適切なタイミングで所望の画像を撮影する撮影技術をさらに取得しやすくすることができる。
【産業上の利用可能性】
【００３５】
上記実施形態においては、本発明による撮影装置をデジタルカメラに適用した場合について説明したが、ビデオカメラや、携帯電話機等に内蔵されるカメラ等のその他の撮影装置にも適用することが可能である。このような撮影装置に本発明を適用した場合においても、上記実施形態と同様な作用効果が奏される。
【符号の説明】
【００３６】
１…デジタルカメラ
２…レリーズボタン
３…モニタ
４…ズームボタン
５…十字ボタン
６…決定ボタン
１１…ＣＰＵ
１３…バッファメモリ
２０…メモリカード
【図１】
2011078003.tif 000003
【図２】
2011078003.tif 000004
【図３】
2011078003.tif 000005
【図４】
2011078003.tif 000006
【図５】
2011078003.tif 000007
【図６】
2011078003.tif 000008